(57)【要約】      （修正有）【課題】燃料タンクの容積を増すことにより燃料の給油回数を大幅に少なくして、コンバインの運転を長時間、連続で行なえるものとすると共に、機体左右の重量バランスへの影響を抑えて機体の走行性能を維持する。【解決手段】脱穀装置（６）の後側の走行フレーム（３）上に搭載した燃料タンク（８）を、機体背面視において該燃料タンク（８）の主要部分を左右クローラ（１，１）の中間位置に配置すると共に、該燃料タンク（８）の両端部分を左右両側のクローラ（１，１）の上方位置近傍まで夫々左右方向に延長して形成する。また、脱穀装置（６）の揺動選別棚の先端部に取付けた第１ゴムシールと機体のリヤカバーの下部に取付けた第２ゴムシールとを、相互に接触する側を重ね合わせると共に燃料タンク（８）を背後から覆う構成とする。【選択図】図１
2010227063.tif 000002
【特許請求の範囲】
【請求項１】
左右一対のクローラ（１，１）を下部に装備し刈取搬送装置（２）を前部に支持した走行フレーム（３）に、穀稈供給口（４）を前側に位置させ排塵口（５）を後側に位置させて脱穀装置（６）を搭載し、該脱穀装置（６）の側部に隣設させて脱穀選別後の穀粒を貯留するグレンタンク（７）を走行フレーム（３）上に搭載し、前記脱穀装置（６）の後側の走行フレーム（３）上に搭載した燃料タンク（８）は、機体背面視において該燃料タンク（８）の主要部分を左右クローラ（１，１）の中間位置に配置すると共に、該燃料タンク（８）の両端部分を左右両側のクローラ（１，１）の上方位置近傍まで夫々左右方向に延長して形成したことを特徴とするコンバイン。
【請求項２】
前記走行フレーム（３）の前部の左右中間位置に、左右一対のクローラ（１，１）に走行動力を伝動する走行ギヤボックス（９）を支持し、該走行フレーム（３）の後部の左右中間位置に前記燃料タンク（８）を搭載したことを特徴とする請求項１記載のコンバイン。
【請求項３】
前記燃料タンク（８）の左右一方側を脱穀装置（６）の後方に位置させ、左右他方側を前記グレンタンク（７）の後方位置まで延長して形成したことを特徴とする請求項１記載のコンバイン。
【請求項４】
前記脱穀装置（６）の揺動選別棚（１０）の先端部に取付けた第１ゴムシール（１１）と機体（１２）のリヤカバー（１３）の下部に取付けた第２ゴムシール（１４）とを垂下して設け、該第１ゴムシール（１１）と第２ゴムシール（１４）とは、相互に接触する側を重ね合わせると共に前記燃料タンク（８）を背後から覆う構成としたことを特徴とする請求項１記載のコンバイン。
【請求項５】
前記燃料タンク（８）は、脱穀装置（６）の吸引排塵機（１５）によって起風されて排塵口（５）から排塵される排塵風を吹き付ける位置に配置したことを特徴とする請求項４記載のコンバイン。
【発明の詳細な説明】
【技術分野】
【０００１】
この発明は、コンバインに関する。
【背景技術】
【０００２】
従来からエンジンを搭載して各装置を伝動する構成のコンバインは、当然のこととして燃料タンクを走行フレーム上に搭載しているが、通常、従来の構成では、走行フレーム上の配置スペースの関係で、燃料タンクは、脱穀機とグレンタンクとの間の空間部分、或いは、グレンタンクの下面を構成する傾斜状の流穀板の下方に形成される空間部を利用して搭載するのが一般的な構成であった。
【０００３】
例えば、特開平１１−２４３７５３号公開特許公報に記載された発明は、
「機台１の前部に刈取部を配置し、後方の両側に排稈処理装置２を後部にする脱穀機３とグレンタンク６を配置し、機台１上にエンジン７を搭載し、燃料タンク８の給油口８０を排稈処理装置２とグレンタンク６との間で形成される空間部Ｋに設けると共に、燃料を収容した燃料容器を載置可能なタンク載台９を、前記給油口８０の下方で機台１から、後方に突出する燃料供給作業姿勢と上方に向けて回動退避する格納姿勢とに切換固定可能に設けた。」
と構成の要部に相当する構造が、図面と共に記載され、作用、効果として
「グレンタンクの後方で、横方向に突出する燃料供給作業姿勢と、上方に回動退避する格納姿勢とに切換可能なタンク載台を設けることにより、燃料供給作業を楽に能率よく行うと共に、コンバインの作業及び排稈処理装置のメンテナンス作業等を良好に行うことができるコンバインの燃料供給構造」
と記載し、添付図面の図２には、燃料タンク８が、脱穀機３の右側でグレンタンク６側に寄せた位置に搭載した構成が示されている。
【先行技術文献】
【特許文献】
【０００４】
【特許文献１】特開平１１−２４３７５３号公開特許公報
【発明の概要】
【発明が解決しようとする課題】
【０００５】
従来からコンバインは、前部に刈取装置と穀稈搬送装置とを支持し、限られたスペースの走行フレーム上に、エンジンと、脱穀装置と、グレンタンクと、運転操縦座席等の各装置を配置して搭載するから、走行フレーム上における燃料タンクの搭載スペースが制限され、それに伴い大きさ（タンク容量）もおのずから限定されている。このように、従来のコンバインに搭載されていた燃料タンクは、前項で提示した公開特許公報（特許文献１参照）に示されているように、走行フレーム上の配置スペースの関係で、脱穀機とグレンタンクとの間の空間部分を利用して搭載するのが一般的で、グレンタンクの下面を構成する傾斜状の流穀板の下方にできる空間部を利用するのが普通の構成であった。
【０００６】
したがって、従来の構成では、脱穀装置とグレンタンクとの間の空間部を利用して取り付けるから、燃料タンクの容量、大きさが制限を受け、コンバインを長時間連続運転することができず、燃料補給の頻度が高くなる課題があった。更に、従来の構成では、燃料タンクを脱穀装置とグレンタンクとの間の空間部を利用して搭載するから、そのタンク形状を左右方向（横方向）に広げられず、設置位置を下げることもできないために、上に高くなり、走行フレーム（コンバイン機体）の左右方向における重量バランスが保てない課題もあった。
【０００７】
そして、従来のコンバインは、走行フレームの前部に取付けて支持されている走行ギヤボックス（走行ミッション装置を内装した重量物である。）と、後部に搭載した燃料タンクとが走行車体の前後位置において、関連しながら相互に機体の左右バランスを保持することができない課題もあった。
【０００８】
更には、従来の燃料タンクは、脱穀装置の背後に設置できないために、脱穀装置が有する特有の機能（例えば、吸引排塵機による排塵風を利用して燃料タンクの温度上昇を阻止する。）をタンク側に有効に活用することができない課題があった。
【課題を解決するための手段】
【０００９】
この発明は、上記課題を解決するために、つぎの如き技術手段を講じている。
まず、請求項１の発明は、左右一対のクローラ（１，１）を下部に装備し刈取搬送装置（２）を前部に支持した走行フレーム（３）に、穀稈供給口（４）を前側に位置させ排塵口（５）を後側に位置させて脱穀装置（６）を搭載し、該脱穀装置（６）の側部に隣設させて脱穀選別後の穀粒を貯留するグレンタンク（７）を走行フレーム（３）上に搭載し、前記脱穀装置（６）の後側の走行フレーム（３）上に搭載した燃料タンク（８）は、機体背面視において該燃料タンク（８）の主要部分を左右クローラ（１，１）の中間位置に配置すると共に、該燃料タンク（８）の両端部分を左右両側のクローラ（１，１）の上方位置近傍まで夫々左右方向に延長して形成したことを特徴とするコンバインとしたものである。
【００１０】
燃料タンク（８）を走行フレーム（３）の後部に搭載することによって、左右両側への拡張を制限する部材がなくなり、燃料タンク（８）を横に長く構成して両端部分を左右クローラ（１，１）の上方まで伸ばして容積を増すことができ、従来の課題、欠陥を解消して、コンバインの運転を長時間、連続で行なうことも可能となった。そして、請求項１の発明は、燃料タンク（８）の主要部分を左右クローラ（１，１）の中間部位において、上述の如く、左右両側に延長して配置することにより、走行フレーム（３）の左右の重量バランスを確保できるものとなっている。この場合、請求項１の発明は、燃料タンク（８）の搭載位置が走行フレーム（３）の最後部であるから、取付位置を下げて低くすることも可能であり、主要部分を左右クローラ（１，１）の中間部に位置させて、左右両側に延長したタンク（８）のために、燃料の増減によって左右バランスに変化が起きることがない利点がある。
【００１１】
つぎに、請求項２の発明は、前記走行フレーム（３）の前部の左右中間位置に、左右一対のクローラ（１，１）に走行動力を伝動する走行ギヤボックス（９）を支持し、該走行フレーム（３）の後部の左右中間位置に前記燃料タンク（８）を搭載したことを特徴とする請求項１記載のコンバインとしたものである。
【００１２】
走行フレーム（３）は、前部の重量物である走行ギヤボックス（９）と、それに対応して、後部の燃料タンク（８）とを共に左右一対のクローラ（１，１）の中間部分に配置した構成にすることによって、走行フレーム（３）の前後、両方で安定した左右の重量バランスを確保できるものとなった。
【００１３】
つぎに、請求項３の発明は、前記燃料タンク（８）の左右一方側を脱穀装置（６）の後方に位置させ、左右他方側を前記グレンタンク（７）の後方位置まで延長して形成したことを特徴とする請求項１記載のコンバインとしたものである。
【００１４】
燃料タンク（８）を左右方向に延長して大きくし、その容量を増加することによって、コンバインの連続運転時間を長くすることが可能となった。
つぎに、請求項４の発明は、前記脱穀装置（６）の揺動選別棚（１０）の先端部に取付けた第１ゴムシール（１１）と機体（１２）のリヤカバー（１３）の下部に取付けた第２ゴムシール（１４）とを垂下して設け、該第１ゴムシール（１１）と第２ゴムシール（１４）とは、相互に接触する側を重ね合わせると共に前記燃料タンク（８）を背後から覆う構成としたことを特徴とする請求項１記載のコンバインとしたものである。
【００１５】
燃料タンク（８）は、横に長い形状でありながら、第１ゴムシール（１１）と第２ゴムシール（１４）との二つのゴムシールによって覆われているから、直射日光を受けることがなく温度の上昇が防止できる利点がある。又、この第１ゴムシール（１１）と第２ゴムシール（１４）は、相互の接触側を重ね合わせて構成したから、揺動選別棚（１０）の揺動運動が一方側の第１ゴムシール（１１）から他方側のリヤカバー（１３）側の第２ゴムシール（１４）に伝わって揺動（振動）し、排塵物などを振り落として堆積を防止できる。
【００１６】
つぎに、請求項５の発明は、前記燃料タンク（８）は、脱穀装置（６）の吸引排塵機（１５）によって起風されて排塵口（５）から排塵される排塵風を吹き付ける位置に配置したことを特徴とする請求項４記載のコンバインとしたものである。
【００１７】
この発明は、燃料タンク（８）に排塵風を直接吹き付けることによって温度の上昇をおさえ、燃料温度の高温化を防止しながらエンジンに供給できるから、エンジン出力の低下を未然に防止することができる。
【発明の効果】
【００１８】
請求項１記載の発明は、燃料タンク（８）を走行フレーム（３）の後部に搭載することによって、左右両側への拡張を制限する部材がないから、この燃料タンク（８）を横に長く構成して両端部分を左右両側のクローラ（１，１）の上方まで夫々延長して容積を増すことが可能となり、これにより燃料の給油回数を大幅に少なくして、コンバインの運転を長時間、連続で行なうことができる。そして、燃料タンク（８）の主要部分を左右一対のクローラ（１，１）の中間部位において、上述の如く、左右両側に延長して構成したから、走行フレーム（３）の左右の重量バランスを確保でき、機体の走行性能を維持することができる。そして、燃料タンク（８）の搭載位置が走行フレーム（３）の最後部であるから、取付位置を下げて低くすることも可能であり、低重心に構成でき、前述のとおり、タンク（８）の主要部分を、左右一対のクローラ（１，１）の中間位置に配置したから、タンク内燃料の増・減が走行フレーム（３）の左右の重量バランスに影響を与えず、走行性能の低下を防ぐことができる。
【００１９】
請求項２記載の発明は、上記請求項１記載の発明の効果に加え、走行フレーム（３）の前部と後部との両端に左右の重量バランス保持に関係する重量のある走行ギヤボックス（９）と燃料タンク（８）とを支持、或いは搭載することによって、左右の重量バランスを走行フレーム（３）の前後で共に安定した状態が確保でき、コンバインの走行性能を高めることができる。
【００２０】
そして、請求項３記載の発明は、上記請求項１記載の発明の効果に加え、左右クローラ（１，１）の中間部にある燃料タンク（８）を、脱穀装置（６）の後方とグレンタンク（７）の後方まで左右方向に延長して形成しているから、貯留できる燃料の容量を増加することが可能となって、給油回数を減らしてコンバインの連続運転時間を長くでき、作業能率を高めることができる。
【００２１】
そして、請求項４記載の発明は、上記請求項１記載の発明の効果に加え、燃料タンク（８）が、横に長い形状でありながら、第１ゴムシール（１１）と第２ゴムシール（１４）との２つのゴムシールによって覆われているから、燃料タンク（８）が直射日光を受けることがなくなって燃料タンク温（８）の温度上昇を防止できる。そして、揺動選別棚（１０）の揺動運動が一方の第１ゴムシール（１１）から他方のリヤカバー（１３）側の第２ゴムシール（１４）に伝わって共に揺動（振動）し、第１ゴムシール（１１）と第２ゴムシール（１４）に降り掛かる排塵物などを振り落とし堆積を防止することができる。
【００２２】
そして、請求項５記載の発明は、上記請求項４記載の発明の効果に加え、排塵風を燃料タンク（８）に直接吹き付けることによって、この燃料タンク（８）の温度上昇を押さえ、燃料温度の高温化を防止しながらエンジンに供給できるから、エンジン出力の低下を未然に防止することができ、作業能率を更に高めることができる。
【図面の簡単な説明】
【００２３】
【図１】コンバインの一部を破断した背面図
【図２】コンバインの側面図
【図３】一部破断して内部を示すコンバインの背面図
【図４】説明用に一部の概略を示すコンバインの作用平面図
【図５】一部を断面して脱穀装置の内部を示す側面図
【図６】給油口と穀粒排出装置の揚穀筒を断面した平面図。
【発明を実施するための最良の形態】
【００２４】
以下、図面に基づいてこの発明の実施例を具体的に説明する。
まず、コンバイン１８は、図面に示すように、左右一対のクローラ１，１を装備した走行フレーム３に脱穀装置６を搭載し、その前部側に刈取搬送装置２を連結して刈取・脱穀作用ができる構成としている。そして、前記刈取搬送装置２は、図２に示すように、前部低位置に分草杆１９を設け、そのすぐ背後に、上部を後方にして傾斜させた穀稈引起し装置２０を設け、その下方に刈取装置２１を設け、更に、その刈取装置２１の上方から、脱穀装置６の穀稈供給口４との間に株元側を挟持し、穂先側を係合しながら搬送する上下２段の穀稈搬送装置２２を設けて構成している。
【００２５】
つぎに、前記脱穀装置６は、穀稈の扱ぎ口２３に沿わせてフィードチェン２４を設け、穀稈供給口４を前側に位置させ、塵埃等を排塵する排塵口５を後側に配置して前記走行フレーム３上に搭載して構成している。そして、脱穀装置６は、上部に扱室２５を配置し、長手方向に前記扱ぎ口２３を設けて供給される穀稈を脱穀する構成とし、その下側に選別室２６を配置した構成としている。そして、選別室２６は、詳細な図示は省略したが、選別方向の上手側に図示しないが圧風唐箕を軸架して室内に選別風を供給する構成となっており、上側に揺動選別棚１０が上手側（穀稈供給口４に近い側）から下手側（排塵口５側）に向けて揺動自在に吊持して構成している。そして、前記揺動選別棚１０は、図３乃至図５に示すように、上手側から順に、移送棚２８、チャフシーブ２９、ストローラック３０を配置して構成し、選別風の作用を受けながら揺動して脱穀物の選別作用を行う構成としている。
【００２６】
そして、吸引排塵機１５は、図３、及び図４に示すように、前記選別室２６の一側に軸架しており、選別室２６内に浮遊している排塵物を吸引してまとめ、排塵口５から機外に排塵する構成としている。
【００２７】
つぎに、グレンタンク７は、図面に示す実施例では、前記脱穀装置６の右側部に燐設させて、一番揚穀筒３２によって脱穀装置６と接続し、脱穀・選別後の穀粒を揚穀して貯留する構成としている。そして、穀粒排出オーガー３４は、前記グレンタンク７の下部に基部を接続した揚穀筒３５の先端部に、上下回動自由に枢着して接続し、グレンタンク７に貯留している穀粒を機外に排出する構成としている。この場合、穀粒排出オーガー３４は、穀粒の排出位置の選択をするために、揚穀筒３５を中心にして３６０度回転し、上記の通り上下回動して先端部の排出口３６を位置決めできる構成となっている。３７はオーガー受具を示し、脱穀装置６の上面に設けている。
【００２８】
そして、エンジン３８は、図４に平面視で示すように、前記グレンタンク７のすぐ前側において走行フレーム３上に搭載し、コンバイン１８の回転各部に伝動して各装置を駆動する構成としている。そして、実施例のコンバイン１８は、エンジン３８の上方には、運転操縦席３９を配置している。
【００２９】
つぎに、燃料タンク８は、図１に示した背面図のように、前記脱穀装置６の背後において、前記走行フレーム３の後部に搭載し、横に長く形成し、タンク８の主要部分が、前記左右一対のクローラ１，１の中間位置にあるように配置した構成としている。そして、燃料タンク８は、その両端部分を、図面に示すように、左右クローラ１，１の上方位置近傍まで左右方向に延長した構成としている。そして、実施例の場合、燃料タンク８は、図３、及び図５に示すように、走行フレーム３の上面より下げて低い位置に載置した受け台４０上に安定させて搭載している。
【００３０】
このように構成した燃料タンク８は、これに満タン状態に燃料を充填すると重量物となるから、少しでも設置位置を下げて搭載することにより走行フレーム３の左右重量バランスを安定した状態に保持することができる。
【００３１】
そして、燃料タンク８は、図４に概略を示すように、フューエルゲージ４１を上面に取付け、低い位置に接続した送油ホース４２を脱穀装置６の右側板とリヤカバー１３との内側に配管して燃料を前部のエンジン３８まで送り、供給できる構成としている。このように、送油ホース４２は、脱穀装置６とグレンタンク７との間を通して配管できるから、従来の如く、脱穀側板を貫通させて配管する等の複雑な構成を廃し、簡潔な構成にしたから低コストで安全な配管構成となった。
【００３２】
３１はフィルターを示している。
そして、燃料タンク８は、図２、図４、及び図５に示すように、排藁カッター４５より前に位置し、脱穀装置６の後部と若干重合した状態となる位置に設置した構成となっている。
【００３３】
ここで、燃料タンク８、及びその給油口４６と、排藁カッター４５、及びその支持構成との関連について説明すると、燃料タンク８は、既に述べているように、下部の走行フレーム３の低い位置にあり、これに対して、メンテナンス時に後方外側に回動する排藁カッター４５は、上部（既に、周知の通り、フィードチェン２４の終端部に接続した排藁チェンから排藁が供給される高さの位置。）に位置するから、接触や衝突は起きない程度の上下差がある。そして、給油口４６は、排藁カッター４５の回動支点Ｐに近づけて設け、その排藁カッター４５より回動支点Ｐに近い部位あって、排藁カッター４５の回動軌跡の内側（図４の作用図参照）で、支持腕５０の回動軌跡内に位置し、タンク８から上側に延長して位置させた構成としている。そして、給油口４６は、図面に示すように、カッター回動支持フレーム４７にアーム４８によって支持した構成としている。
【００３４】
したがって、給油口４６は、排藁カッター４５の真下を避けて、揚穀筒３５側に寄った位置にあるから、排藁カッター４５から落下してくる切断藁が降りかかることはなく、揚穀筒３５の周辺の空間部分を有効に使った利点がある。そして、給油口４６は、脱穀装置６の後部左端にある排塵口５からも遠く離れているから、排塵物が降りかかって堆積する等の虞もほとんどない効果がある。
【００３５】
更に、実施例の場合、上記給油口４６は、図６で示すように、穀粒排出オーガー３４の基部に連結している揚穀筒３５を後側から覆っているオーガーカバー４９の内側に位置させているから、藁屑や塵埃による悪い影響がほとんどない特徴がある。
【００３６】
つぎに、燃料タンク８と走行ギヤボックス９との関連構成を説明する。
まず、燃料タンク８は、図１に示すように、走行フレーム３の前部において、左右中間位置に支持されている走行ギヤボックス９に合わせて、前記走行フレーム３の後部において、左右中間位置に配置して搭載している。この場合、走行ギヤボックス９は、走行ミッション装置が内装されて左右一対のクローラ１，１に走行動力を伝動する構成であるが、重量物であり、走行フレーム３の左右バランスを保持するために左右中間位置に装置されている。
【００３７】
このように、実施例は、走行フレーム３の前部と後部との両端に左右の重量バランス保持に関係する重量のある走行ギヤボックス９と燃料タンク８とを装備したことによって、左右の重量バランスを走行フレーム３の前部と後部との両端で保ち、共に安定した状態が確保できるものとなった。
【００３８】
そして、燃料タンク８は、図１、図３、及び図４に示すように、実施例の場合、横に長く形成して前記走行フレーム３の後部において、一方側を前記脱穀装置６の後方に位置させ、他方側を前記グレンタンク７の後方位置まで延長して構成している。
【００３９】
このように、実施例の場合、燃料タンク８は、左右クローラ１，１の中間部から、脱穀装置６の後方とグレンタンク７の後方まで左右方向に延長して形成しているから、大きくなり、貯留できる燃料の容量を増加することが可能となって、給油回数の頻度を大幅に減らすものでありながら、コンバインの連続運転時間を長くすることができるものとなった。
【００４０】
つぎに、燃料タンク８は、図３に示すように、横に長く形成して、前記脱穀装置６の背後で前記走行フレーム３の後部に搭載し、前記脱穀装置６の揺動棚１０の先端部に取付けたゴムシール（第１ゴムシール）１１と機体１２のリヤカバー１３の下部に取付けたゴムシール（第２ゴムシール）１４とを垂下して設けた構成としている。そして、この二つのゴムシール１１，１４は、コンバイン機体の中央部分で相互に接触する側を、ゴムシール１１の上にゴムシール１４を重合わせて構成し、更に、燃料タンク８を後側から覆った構成としている。
【００４１】
そして、揺動棚１０に取付けたゴムシール１１は、排塵口５に近い下部の角部を斜めにカットして取り除いて、排塵風の一部を外に逃がして、シール自体のめくれ上がりを防止する構成としている。
【００４２】
このように構成した実施例は、燃料タンク８が、横に長い形状でありながら、二つのゴムシール１１，１４によって覆われているから、タンク８に直射日光が当らなくなって、タンク温度の上昇を防止できるものとなった。そして、この実施例の場合、二つのゴムシール１１，１４の互いの接触側を重ね合わせて構成したから、揺動棚１０の揺動運動が一方のゴムシール１１から他方のリヤカバー１３側のゴムシール１４に伝わって共に揺動（振動）し、シール１１、１４に降り掛かる排塵物などを振り落とし、シール１４上の堆積を防止できるものとなっている。
【００４３】
そして、実施例は、図３に示すように、前記脱穀装置６の吸引排塵機１５によって起風され、選別室２６内に浮遊している塵埃を吸引して、排塵口５から排塵される排塵風を、燃料タンク８に吹付けるように誘導する風路を作り、排塵風の当たる位置にタンク８を配置している。したがって、実施例は、排塵風を燃料タンク８に直接吹き付けることによって、タンク８の温度上昇を押さえ、燃料温度の高温化を防止しながらエンジンに供給できるから、エンジン出力の低下を未然に防止することができるものとなっている。
【００４４】
そして、二番螺旋底５５は、図５に示すように、前側に枢着部Ｔを設けて開閉自由に構成している。したがって、ニ番移送螺旋軸５６は、燃料タンク８を接近させて設置しても何ら影響を受けることなく、螺旋底５５を開閉することができて内部の清掃が容易にできるものとなっている。
【符号の説明】
【００４５】
１  クローラ
２  刈取搬送装置
３  走行フレーム
４  穀稈供給口
５  排塵口
６  脱穀装置
７  グレンタンク
８  燃料タンク
９  走行ギヤボックス
１０  揺動選別棚
１１  ゴムシール（第１ゴムシール）
１２  機体
１３  リヤカバー
１４  ゴムシール（第２ゴムシール）
１５  吸引排塵機
【図１】
2010227063.tif 000003
【図２】
2010227063.tif 000004
【図３】
2010227063.tif 000005
【図４】
2010227063.tif 000006
【図５】
2010227063.tif 000007
【図６】
2010227063.tif 000008